(57)【要約】【課題】安定でしかもステージの設置が容易な墜落防止開口部ステージ用フレームを提供する。開口部のサイズや形状が複数あるなかで、それらの異なる複数種類の開口部に併用して用いることのできる同ステージ用フレームを提供する。【解決手段】床梁の上に載せる辺１ａと、開口部を横切る辺１ｂとを備え、上面を面材２を載せる載置面とし、横が１に対して縦が２の長さ寸法を備えた平面視「Ｓ」の字状をした、１Ｐが例えば９１０ｍｍの１Ｐ＊２Ｐ規格のものからなっている。【選択図】      図１
2005105704.tif 000002
【特許請求の範囲】
【請求項１】
建築中の階上床開口部からの墜落を防止する開口部ステージ用のフレームであって、
床梁の上に載せる辺と、開口部を横切る辺とを備え、上面を面材載置面とすることを特徴とする墜落防止開口部ステージ用のフレーム。
【請求項２】
横が１に対して縦が２の長さ寸法を備えた平面視「Ｓ」の字状をしている請求項１に記載の墜落防止開口部ステージ用のフレーム。
【請求項３】
横が１に対して縦が２の長さ寸法を備えた平面視「６」の字状をしている請求項１に記載の墜落防止開口部ステージ用のフレーム。
【請求項４】
横が１に対して縦が２の長さ寸法を備えた平面視「日」の字状をしていると共に、平面視「６」の字状となるように該当辺が中間辺に沿うよう回動可能に枢着されている請求項１に記載の墜落防止開口部ステージ用のフレーム。
【発明の詳細な説明】
【技術分野】
【０００１】
本発明は、墜落防止開口部ステージ用のフレームに関する。
【背景技術】
【０００２】
住宅用等の建物の階上の床には、階上と階下をつなぐ階段室等を形成するための開口部が備えられるが、建築中に、階上で作業をしている作業者が誤ってその開口部を通じて階下に墜落してしまう事故を起こす危険性があることから、建築中、この開口部を塞ぐステージを設置しておく必要がある。
【発明の開示】
【発明が解決しようとする課題】
【０００３】
本発明は、かかるステージの設置の必要性に鑑み、安定でしかもステージの設置が容易な墜落防止開口部ステージ用フレームを提供することを課題とする。
【０００４】
また、本発明は、開口部のサイズや形状が複数あるなかで、サイズや形状の異なる複数種類の開口部に併用して用いることができる墜落防止開口部ステージ用フレームを提供することを課題とする。
【課題を解決するための手段】
【０００５】
上記の課題は、建築中の階上床開口部からの墜落を防止する開口部ステージ用のフレームであって、
床梁の上に載せる辺と、開口部を横切る辺とを備え、上面を面材載置面とすることを特徴とする墜落防止開口部ステージ用のフレームによって解決される。
【０００６】
このフレームでは、開口部を横切る辺が備えられているので、面材が安定良く下から支えられ、安定したステージを形成することができる。しかも、床梁の上に載せる辺と、開口部を横切る辺とを備えているので、開口部を横切る辺が安定良く床梁の上に支えられ、このことによっても、安定したステージを形成することができる。
【０００７】
更に、上記のフレームでは、床梁の上に載せる辺で床梁に支えられる構造をしているので、この辺を床梁の上に設置するだけで床梁によって下から安定良く支えられ、フレームの設置を容易に行うことができる。
【０００８】
上記のフレームが、横が１に対して縦が２の長さ寸法を備えた平面視「Ｓ」の字状をしているものである場合や、横が１に対して縦が２の長さ寸法を備えた平面視「６」の字状をしているものである場合、更には、横が１に対して縦が２の長さ寸法を備えた平面視「日」の字状をしていると共に、平面視「６」の字状となるように該当辺が中間辺に沿うよう回動可能に枢着されているものである場合は、開口部のサイズや形状が複数あるなかで、サイズや形状の異なる複数種類の開口部に併用して用いることができる。
【０００９】
特に、最後のものでは、より多くの開口部に併用することができるものでありながら、各開口部において、上に載せる面材が撓みやすいものであってもそのバタツキをなくして安全なステージを成形することができる。
【発明の効果】
【００１０】
本発明のステージ用フレームは、以上のとおりのものであるから、安定でしかもステージの設置を容易に行うことができる。また、開口部のサイズや形状が複数あるなかで、サイズや形状の異なる複数種類の開口部に併用して用いることができる。
【発明を実施するための最良の形態】
【００１１】
次に、本発明の実施最良形態を図面に基づいて説明する。
【００１２】
図１及び図２に示す第１実施形態のステージ用フレーム１は、床梁の上に載せる辺１ａと、開口部を横切る辺１ｂとを備え、上面を面材２を載せる載置面とし、横が１に対して縦が２の長さ寸法を備えた平面視「Ｓ」の字状をした、１Ｐが例えば９１０ｍｍの１Ｐ＊２Ｐ規格のものからなっているが、１Ｐの具体的寸法に制限はない。
【００１３】
各辺１ａ，１ｂを構成する材料は、木であっても、樹脂であっても、金属であってもよいが、強度面、コスト面等の観点から鋼材であるのが好ましく、特に、上面を面材２の載置面としていることから、強度面も考慮して高背角パイプ材からなっているのがよい。そして、各辺１ａ，１ｂは溶接などで接合されている。また、面材２は、基本的には、フレーム１とは別部品として用意され、現場でフレーム１の上に載せて用いられることを前提としており、その材質や構造に特に制限はなく、軽量で取扱いの容易さから、厚さが例えば１５ｍｍ程度の合板などが用いられてよい。
【００１４】
上記のフレーム１は、１Ｐ＊２Ｐサイズの開口部に対して、その開口部近傍に備えられている図示しない床梁の上に載せられ、その上に面材２が載せられて、ステージを形成する。なお、フレーム１が床梁上で水平方向にずれ動かないように、フレーム１の側に床梁の側面側に突出する金具などによる位置決め部材を備えさせておくとよい。また、面材２についても、これが水平方向にずれ動かないように面材２に明けられた孔に差し込まれる金具などによる位置決め部材を備えさせておくとよい。
【００１５】
このフレーム１には、上記のように、開口部を横切る辺１ｂが備えられているので、ステージ形成状態において、面材２が下から安定良く支えられ、安定したステージを形成することができる。しかも、床梁の上に載せる辺１ａと、開口部を横切る辺１ｂとを備えているので、開口部を横切る辺１ｂが安定良く床梁に支えられ、このことによっても、安定したステージを形成することができる。
【００１６】
更に、上記のフレームは、床梁の上に載せられる辺１ａで床梁に支えられる構造をしているので、この辺１ａを床梁の上に設置するだけで床梁によって下から安定良く支えられ、フレーム１の設置を容易に行うことができる。
【００１７】
そして、本実施形態の「Ｓ」形フレーム１では、一つのフレーム１で１Ｐ＊２Ｐの開口部に設置することができ、また、２つのフレーム１，１を組み合わせることで、図２（イ）に示すような１Ｐ＊３Ｐの開口部３に設置することもできるし、図２（ロ）に示すような１Ｐ＊４Ｐの開口部３にも設置することができ、これらの複数種類の開口部に併用して用いることができる。
【００１８】
図３及び図４に示す第２実施形態のステージ用フレーム１は、平面視「６」の字状をした、同じく１Ｐ＊２Ｐ規格のものからなっている。このステージ用フレーム１では、一つのフレーム１で１Ｐ＊２Ｐの開口部に設置することができるのはもちろん、２つのフレーム１，１を組み合わせることで、図４（イ）に示すような２Ｐ＊２Ｐの開口部３に設置することもできるし、図４（ロ）に示すような１Ｐ＊３Ｐの開口部３にも設置することができるし、更には、図４（ハ）に示すような１Ｐ＊４Ｐの開口部３に設置することもでき、より多くの種類の開口部に併用して用いることができる。
【００１９】
図５〜図７に示す第３実施形態のステージ用フレーム１は、平面視「日」の字状をしていると共に、図６（ハ）に示すように、平面視「６」の字状となるように該当辺１ｃが中間辺１ｄに沿うよう回動可能に枢着された、同じく１Ｐ＊２Ｐ規格のものからなっている。
【００２０】
このステージ用フレーム１においても、一つのフレーム１で１Ｐ＊２Ｐの開口部に設置することができるのはもちろん、２つのフレーム１，１を組み合わせることで、図７（イ）に示すような２Ｐ＊２Ｐの開口部３に設置することもできるし、図７（ロ）に示すような１Ｐ＊３Ｐの開口部３にも設置することができるし、更には、図７（ハ）に示すような１Ｐ＊４Ｐの開口部３に設置することもでき、より多くの種類の開口部に併用して用いることができる。
【００２１】
しかも、このフレーム１では、平面視「日」の字状をしていると共に、平面視「６」の字状となるように該当辺１ｃが中間辺１ｄに沿うよう回動可能に枢着されているので、該当辺１ｃの位置を種々設定することで、いずれ開口部に対しても、その開口部の周囲全周にわたってフレーム部分を存在させることができ、面材２の上に載っても、面材２をばたつかせることがなく、安全に作業を行うことができる。
【図面の簡単な説明】
【００２２】
【図１】第１実施形態のフレームを面材と共に示す斜視図である。
【図２】図（イ）及び図（ロ）はそれぞれ、同フレームの使用例を示す平面図である。
【図３】第２実施形態のフレームを面材と共に示す斜視図である。
【図４】図（イ）〜図（ハ）はそれぞれ、同フレームの使用例を示す平面図である。
【図５】第３実施形態のフレームを面材と共に示す斜視図である。
【図６】図（イ）は同フレームの構造を示す平面図、図（ロ）は「日」の字状をさせた平面図、図（ハ）は「６」の字状をさせた平面図である。
【図７】図（イ）〜図（ハ）はそれぞれ、同フレームの使用例を示す平面図である。
【符号の説明】
【００２３】
１…ステージ用フレーム
１ａ…床梁の上に載せる辺
１ｂ…開口部を横切る辺
１ｃ…該当辺
１ｄ…中間辺
【図１】
2005105704.tif 000003
【図２】
2005105704.tif 000004
【図３】
2005105704.tif 000005
【図４】
2005105704.tif 000006
【図５】
2005105704.tif 000007
【図６】
2005105704.tif 000008
【図７】
2005105704.tif 000009